(57)【要約】本発明の製品は、ａ）出口（１２）を有するスクイーズボトル（１１）と、ｂ）栓（１３）と、を有し、この栓は、首部と上部とを有する突出したニップル（３１）を備えた上面（３３１）と、平滑な管状チャンネル（３４）と連通する上部（３１５）及びオリフィス（３１２）と、を有し、上記平滑な管状チャンネルは、キャップを外さずに、半固形の配合物がボトルの外部にチャンネルとオリフィスを介してしぼり出されるように寸法決めされ、ニップルの首部は、スプーンの厚さよりもわずかに大きい突出高さを有し、ニップルの首部と平らな上面（３２３）は、スプーンの縁と係合するノッチ（３５０）を形成し、オリフィスは、圧力が止まったとき、配合物の流れをクリーンにカットするのに十分な、ニップルの上部との鋭利な交差部分（３１３）を形成し、ニップルの上部とニップル首部との接合部は斜面を有し、ｃ）配合物を使用しないときオリフィスをカバーするチャイルドレジスタントキャップ（２２）を有し、このキャップはニップルをすりへらされることなくオリフィスをシールする。
2005506931.tif 000002
【特許請求の範囲】
【請求項１】
ａ．出口を有するスクイーズボトルと、
ｂ．ボトルの出口の栓と、を有し、この栓は、首部を有する突出したニップルを備えた上面と、平滑な管状チャンネルと連通する上部及びオリフィスと、を有し、上記平滑な管状チャンネルは、栓を外さずに、半固形の配合物がボトルの外部に上記チャンネルとオリフィスを介してしぼり出されるように寸法決めされ、上記ニップルの首部は、スプーンの厚さよりもわずかに大きい突出高さを有し、上記ニップルの首部と平らな上面は、スプーンの縁と係合するノッチを形成し、上記オリフィスは、圧力が止まったとき、配合物の流れをクリーンにカットするのに十分な、ニップルの上部との鋭利な交差部分を形成し、ニップルの上部とニップル首部との接合部は斜面を有し、ニップルの上部は、内部シールによってすりへらされることなく、平らで、平らな内部シールを有するチャイルドレジスタントキャップでシールを形成するのに十分幅広く、
ｃ．配合物を使用しないときオリフィスをカバーするチャイルドレジスタントキャップを有し、このキャップはニップルをすりへらすことなく、かつニップルの上部によってすりへらされることなくオリフィスをシールすることを特徴とする製品。
【請求項２】
ニップルは中央に配置される請求項１記載の製品。
【請求項３】
キャップは、オリフィスの中へ突出することなくオリフィスをカバーする請求項１記載の製品。
【請求項４】
キャップは、スクイーズボトルにねじ込まれる請求項１記載の製品。
【請求項５】
栓はボトルの出口に嵌まる請求項１記載の製品。
【請求項６】
ボトルはこぼれにくい配合物を収容する請求項１記載の製品。
【請求項７】
ボトルは断面が扁平している請求項１記載の製品。
【請求項８】
栓は、高さが約０．３ｃｍ〜約１．５ｃｍであり、直径が約０．９ｃｍ〜約３．９ｃｍである請求項１記載の製品。
【請求項９】
ニップルは、高さが約０．１ｃｍ〜約０．５ｃｍであり、幅が約０．４ｃｍ〜約１．８ｃｍである請求項１記載の製品。
【請求項１０】
首部は、直径が約０．１ｃｍ〜約０．４ｃｍである請求項１記載の製品。
【請求項１１】
オリフィスは、直径が約０．１ｃｍ〜約１．０ｃｍである請求項１記載の製品。
【請求項１２】
チャンネルは、直径が約０．６ｃｍ〜約２．６ｃｍである請求項１記載の製品。
【請求項１３】
シャフトは、高さが約０．６ｃｍ〜約２．６ｃｍであり、直径が約０．１ｃｍ〜約０．５ｃｍである請求項１記載の製品。
【請求項１４】
ボトルは、約５０ｍｌ〜約５００ｍｌを収容する請求項１記載の製品。
【請求項１５】
上面は平らである請求項１記載の製品。
【請求項１６】
上面は傾斜している請求項１記載の製品。
【請求項１７】
スクイーズ容器の出口に嵌まるように寸法決めされた栓を有し、この栓は、首部を有する突出したニップルを備えた上面と、平滑な管状チャンネルと連通する上部及びオリフィスと、を有し、上記平滑な管状チャンネルは、栓をはずさずに、半固形の配合物を容器の外部に上記チャンネルとオリフィスを介してしぼり出せるように寸法決めされ、上記ニップルの首部は、スプーンの厚さよりもわずかに大きい突出高さを有し、上記ニップルの首部と平らな上面は、スプーンの縁と係合するノッチを形成し、上記オリフィスは、圧力が止まったとき、配合物の流れをクリーンにカットするのに十分な、ニップルの上部との鋭利な交差部分を形成し、ニップルの上部とニップル首部との接合部は斜面を有し、この斜面とニップルは、ニップルをすりへることがなく、栓に配置されたチャイルドレジスタントキャップに対してシールを形成するように寸法決めされることを特徴とする製品。
【請求項１８】
こぼれにくい配合物用の容器を製造する方法であって、
ａ．スクイーズ容器を形成し、
ｂ．容器にこぼれにくい配合物を充填し、
ｃ．首部にオリフィスを有する栓を挿入し、首部の高さが少なくともほぼスプーンの寸法であり、
ｄ．容器に気密のチャイルドレジスタントキャップを取り付ける、
ことを特徴とする方法。
【請求項１９】
キャップをボトルから取り外し、ニップルの首部と栓の平らな上面によって形成されたノッチにスプーンを押し付け、一さじの配合物がスプーンに流れるようにボトルをしぼり、スプーンが満ちたときしぼりを止め、スプーンからボトルを取り除く、スプーン全体の配合物を対象物に経口的に小出しし、ボトルにキャップを取り付け、ニップルには残留物がない状態であることを特徴とする請求項１記載の製品を使用する方法。
【請求項２０】
ａ．容器がしぼられるときに半固形の配合物をスクイーズ容器からオリフィスの外へ差し向けるための手段を有し、この差し向け手段は、配合物がスプーンに一様になる十分な配合物の流れを起こし、
ｂ．上記容器停止体をしぼるとき、上記差し向け手段に滴りや残留物なく、配合物の流れをカットするための手段を有することを特徴とする装置。
【発明の詳細な説明】
【技術分野】
【０００１】
本発明は、こぼれにくい医薬組成物のスプーンへの正確で問題のないデリバリーに適したノズルを有する容器に関する。
【背景技術】
【０００２】
計量された量の組成物を小出しするためのデバイスが、例えば、ハンセンに対して発行された米国特許第3,104,032号とグリムスレイ（Grimsley）に対して発行された米国特許第3,383,018号に開示されているが、これらのデバイスを複雑にする傾向があり、計量された量の医薬組成物のたやすいデリバリー及び小出しには完全に満足ではない。
【０００３】
こぼれにくい医薬組成物とこぼれない医薬組成物が、ここに援用されているメータ（Mehta）らに対して発行された米国特許6,071,523号とロスに対して発行された米国特許6,102,254号に開示されている。開示された組成物の利点は、スクイーズ容器からスプーンへの容易な小出しを必要とする。標準的な容器に関しては、多すぎるか少なすぎるかの物質を小出しし、計量を難しくすることがわかった。さらに、容器は、残りの物質によって汚されるようになり、ノズルが衛生的で魅力的なままであるようにする洗浄工程を必要とする。
【発明の開示】
【発明が解決しようとする課題】
【０００４】
本発明は、ノズルの寸法形状をこぼれにくい配合物の正確でクリーンな計量を可能にする使い捨てプラスチックスプーンの典型的な寸法にどのように合わせるかの、以前には認識されていない問題を解決する。
【０００５】
本発明のデバイスは、全身治療に有効な薬剤の単回投与単位を計量することを特に容易にし、それらを半固形状態で経口的に投与するのを便利にする。デバイスは、子供への投与と老人及び運動に問題のある成人による自己投与に適している。
【０００６】
本発明は、こぼれのような、液剤の問題を回避する。本発明は、子供がチャイルドプルーフクロージャーによって、幼い子供や精神能力に乏しい個人によるいたずらを防ぐ。
【０００７】
ゲルやペーストのような半固形形態の薬剤は、子供に投与するのに液体及び固形の投与形態よりもずっと簡単であり、老人や運動に問題のある成人が液体よりもずっと計量しやすく、ある場合にはピルやカプセルよりも飲み込みやすいということがわかった。また、このような組成物は、望ましくは、単回投与形態で包装されてもよいし、スプーン状の計量投与手段を含む、或いはスプーン状の計量及び投与手段の使用に適した複数回投与デバイスで包装されてもよいことがわかった。
【０００８】
本発明によれば、病気を全身的に治療する経口投与に有用な薬剤を投与するためのデバイスを提供し、この薬剤は、薬剤と、増粘剤及び薬剤とこの薬剤が溶ける増粘剤と適合できる液体ベースとからなる医薬的に許容されたビヒクルと、を含む組成物のゲル又は懸濁液状の半固形である。
【０００９】
本発明の一実施形態では、単回投与量の半固形医薬組成物がスクイーズ容器に収容される。
【００１０】
本発明の他の実施形態では、デバイスは、本発明の半固形組成物の単回投与量を投与し、その後容器を再びシールするための手段を備えた、複数回投与量のスクイーズボトルからなる。
【００１１】
本発明は、複数回投与量を収容し、本発明の半固形組成物の単回投与量を計量するためのデバイスを提供し、このデバイスは、キャップと、このキャップを取り付けるための雄ねじを備えた開放出口を有する、医薬組成物を保持するためのスクイーズ容器とを含み、キャップは、スクイーズ容器の出口の雄ねじと係合するのに適した雌ねじを備え、外部外側シェルと内側シール層とを有し、上記デバイスは、ニップルと、肩と、ニップルのオリフィスと連通するチャンネルとを有する栓として形成された小出しチャンネルを有し、栓は、容器の開放出口の内部に取り付けられ、栓のニップルは、容器の開放出口の外側に突出し、チャンネルは容器の開放出口の中に突出し、ニップルのオリフィスは、キャップを開けたとき、容器にかかる圧力に応じて容器の内容物がチャンネル手段を通してスプーンに流れるようにスペースを提供し、それによって、スクイーズ容器の内容物をスプーンのボウル状端部にしぼり、そこから小出しすることができる。
【００１２】
本発明の容器は、開放出口にキャップを再び配置することによって再びシールすることができ、キャップの内部のシール層がオリフィスの気密シールをもたらし、空気が容器に出入するのを防ぐ。
【課題を解決するための手段】
【００１３】
本発明は、出口を有するスクイーズボトルと、ボトルの出口の栓と、を有する製品を提供し、この栓は、首部を有する突出したニップルを備えた上面と、平滑な管状チャンネルと連通する上部及びオリフィスと、を有し、上記平滑な管状チャンネルは、栓を外さずに、半固形の配合物がボトルの外部に上記チャンネルとオリフィスを介してしぼり出されるように寸法決めされ、上記ニップルの首部は、スプーンの厚さよりもわずかに大きい突出高さを有し、上記ニップルの首部と平らな上面は、スプーンの縁と係合するノッチを形成し、上記オリフィスは、圧力が止まったとき、配合物の流れをクリーンにカットするのに十分な、ニップルの上部との鋭利な交差部分を形成し、ニップルの上部とニップル首部との接合部は斜面を有し、ニップルの上部は、平らで、平らな内部シールを有するチャイルドレジスタントキャップでシールをなすのに十分に幅広く、内部シールによってすりへらされることがなく、上記製品は、配合物を使用しないときオリフィスをカバーするチャイルドレジスタントキャップを有し、このキャップはニップルをすりへらすことなく、かつニップルの上部によってすりへらされることなくオリフィスをシールする。
【００１４】
特定の実施形態では、ニップルは中央に配置され、キャップは、オリフィスの中へ突出することなくオリフィスをカバーし、キャップは、スクイーズボトルにねじ込まれ、栓はボトルの出口に嵌まり、ボトルは横断面が扁平にされるのがよい。市販の実施形態では、ボトルは、例えば、約５０ｍｌ〜約５００ｍｌのこぼれにくい配合物を収容する。
【００１５】
本発明の実施形態では、栓は、高さが約０．３ｃｍ〜約１．５ｃｍであり、直径が約０．９ｃｍ〜約３．９ｃｍであり、ニップルは、高さが約０．１ｃｍ〜約０．５ｃｍであり、幅が約０．４ｃｍ〜約１．８ｃｍであり、首部は、直径が約０．１ｃｍ〜約０．４ｃｍであり、オリフィスは、直径が約０．１ｃｍ〜約１．０ｃｍである。チャンネルは、直径が約０．６ｃｍ〜約２．６ｃｍである。シャフトは、高さが約０．６ｃｍ〜約２．６ｃｍであり、直径が約０．１ｃｍ〜約０．５ｃｍである。
【００１６】
ニップルの上面は平らであってもよいし、傾斜していてもよい。
【００１７】
本発明は、スクイーズ容器の出口に嵌まるように寸法決めされた栓を提供し、この栓は、首部を有する突出したニップルを備えた上面と、平滑な管状チャンネルと連通する上部及びオリフィスと、を有し、上記平滑な管状チャンネルは、栓をはずさずに、半固形の配合物を容器の外部に上記チャンネルとオリフィスを介してしぼり出せるように寸法決めされ、上記ニップルの首部は、スプーンの厚さよりもわずかに大きい突出高さを有し、上記ニップルの首部と平らな上面は、スプーンの縁と係合するノッチを形成し、上記オリフィスは、圧力が生ずるとき、配合物の流れをクリーンにカットするのに十分な、ニップルの上部との鋭利な交差部分を形成し、ニップルの上部とニップル首部との接合部は斜面を有し、この斜面とニップルは、栓に配置されたチャイルドレジスタントキャップに対してシールを形成するように寸法決めされ、ニップルをすり減らさない。
【００１８】
本発明は、こぼれにくい配合物用の容器を製造する方法を提供し、この方法は、スクイーズ容器を形成し、容器にこぼれにくい配合物を充填し、首部にオリフィスを有する栓を挿入し、首部の高さが少なくともほぼスプーンの寸法であり、容器に気密のチャイルドレジスタントキャップを取り付ける。
【００１９】
本発明のボトルを使用する方法は、キャップをボトルから取り外し、ニップルの首部と栓の平らな上面によって形成されたノッチにスプーンを押し付け、一さじの配合物がスプーンに流れるようにボトルをしぼり、スプーンが満ちたときしぼりを止め、スプーンからボトルを取り除き、スプーン全体の配合物を対象に経口投与し、ボトルにキャップを取り付け、ニップルには残留物がない状態である。
【００２０】
本発明のデバイスは、容器がしぼられるときに半固形の配合物をスクイーズ容器からオリフィスの外へ差し向ける手段を有し、この差し向ける手段は、配合物がスプーン内に一様になる十分な配合物の流れを起こし、容器停止体をしぼるとき、差し向ける手段に滴りや残留物がなく、配合物の流れをカットするための手段を有する。
【発明を実施するための最良の形態】
【００２１】
図面に示す本発明の好ましい実施形態を説明するにあたり、明瞭のために特定の用語を採用する。しかしながら、本発明は、特定の用語を選択されたように限定するものではない。各特定の要素は、同様の目的を達成するのに同様な方法で作用するあらゆる技術的な均等物を含むことを理解すべきである。ここで引用される各引用例をそれぞれが個々に援用されるかのように援用する。
【００２２】
様々な樹脂タイプ、例えば、ポリエチレン（ＰＥ）及び低密度ポリエチレン（ＬＤＰＥ）、及び様々な形状のボトルが、種々のこぼれにくい医薬組成物をデリバリーするように試みられてきた。ポリエチレンテレフタレート（ＰＥＴＧ）材料を使用して作られた４オンス（１１３．４グラム）の特注ボトルのスクイーズ性は十分であり、こぼれにくい医薬組成物のデリバリーが調整された。ポリエチレンテレフタレートは、ほぼ２６０００の平均分子量を有する。他の材料を使用してもよい。
【００２３】
様々な構造の栓が使用された。オリフィス縮小用栓のないボトルによって、こぼれにくい医薬組成物を小滴の形態でデリバリーさせた。したがって、有効な成分のデリバリーは正確ではなくなる。種々の直径の栓が試みられた。非常に幅の狭いオリフィスを備えた栓は、生成物を小出しするのに大変困難となり、こぼれにくい医薬組成物を収容しているボトルの内部に非常に高圧力が生じた結果、栓をボトルの外部に押出す危険があった。非常に幅広いオリフィス直径を備えた栓は、生成物を半小滴形態でデリバリーし、小出しされた量の精度は大きな関心事である。例えば、ハンツマン（Huntsman）のペルー特許２０３０号の低密度ポリエチレンの栓でもよいし、同様な特性を備えた他の高分子の栓でもよい。
【００２４】
本発明のデバイスは、こぼれにくい医薬組成物をやすやすと小出しする。栓の設計は、正確な半固形薬剤が不安を最小にとどめ、かつ調整された流れでスプーンにデリバリーされるようになっている。栓は、使用者が望むように半固形の生成物の流れをカットする能力の意外な利点をもたらす。栓はまた、小滴の形態での過剰なデリバリーを回避する。オリフィスが縮小した栓は、汚れのない小出しシステムを提供し、使用後、小出し用の栓には残留物が蓄積されない。したがって、この栓は、衣服、及び部屋／ベッド等のカーペット及び床へのこぼれを回避する。
【００２５】
栓の実施形態は、ボトルを製造し、こぼれにくい配合物を充填し、栓を挿入し、キャップにねじを付ける製造工程を容易にするので特に望ましい。しかしながら、本発明は、いかなる種々の構造物も考え、当該技術で知られているように、使用後キャップが締められるときスクイーズ容器の出口にあり且つこの出口を閉鎖するキャップの内側にあるピンのような、キャップのねじに代わる代替物や、閉じた位置のときにスクイーズ容器の内容物を開放して封鎖する際チューブからスプーンへ半固形混合物を通過させる回転可能な又は回動可能なバルブ及びばね作動ステップバルブのような、キャップのねじに代わる代替物を含む。
【００２６】
本発明は、図に示す特定の寸法に限定されない。デバイスは成人の手のひらにフィットし、かつ所定の計量され正確な量をボウル状のスプーンに小出しするようにたやすくしぼられる平ボトルである。
ボトルは、透明性、じん性及び可撓性を与えるポリエチレンテレフタレート共重合体６７６３樹脂から作られる。この樹脂は、ほとんどのこぼれにくい医薬組成物に良好な流れをもたらし、ボトルの壁への生成物のくっつきを減ずるのに役立つ。ボトルは透明でもよいし、或いは感光配合物用として、琥珀色でもよい。
【００２７】
本発明の一実施形態を図１に示し、この図は、キャップのされていないスクイーズボトルを示し、配合物を収容するためのボトル１１の本体は、ラベル領域１６を有する。ボトルは、開放出口１２と、この出口に挿入される栓１３と、キャップが着座する棚部１４と、雄ねじ１５と、を有する。典型的な寸法は、棚部１４から栓１３までの高さ１１１が約０．３４５インチ〜約１．３８０インチ（０．８７６ｃｍ〜３．５０５ｃｍ）である。好ましくは、高さ１１１は約０．６８０インチ〜約０．７００インチ（約１．７２７ｃｍ〜約１．７７８ｃｍ）或いは約０．６９０インチ（１．７５２ｃｍ）である。ラベル領域１６に関する典型的な寸法は、高さ１１２が約１．４１０インチ〜約５．６３８インチ（３．５８１ｃｍ〜１４．３２０ｃｍ）、約２．８０９インチ〜約２．８２９インチ（２．１３４ｃｍ〜７．１８６ｃｍ）或いは約２．８１９インチ（７．１６０ｃｍ）であり、幅１１３が約０．６８８インチ〜約２．７５２インチ（１．７４７ｃｍ〜６．９９０ｃｍ）、約１．３６６インチ〜約１．３８６インチ（３．４６９ｃｍ〜３．５２０ｃｍ）或いは約１．３７６インチ（３．４９５ｃｍ）である。
【００２８】
図に示す例では、ボトルの開放出口１２の内部は、約０．６５２インチ〜約０．６６２インチ（１．６５６ｃｍ〜１．６８１ｃｍ）の直径を有し、そして栓１３のシャフト３３をボトル出口１２の内面に一致させるように平滑である。出口の高さは約０．６９０インチ（１．７５３ｃｍ）である。開放出口はまた、キャップ２２（図２）を取り付ける雄ねじ１５を含み、キャップ２２は、出口の雄ねじに係合するのに適した雌ねじ２１２を有する。
【００２９】
図４は、キャップのされていない栓なしスクイーズボトルの側面図を示し、このボトルは、ボトル４１の前面と、開放首部４２と、棚部４４とを有する。棚部４４は、幅４４１が約０．５５０インチ〜約２．２００インチ（１．３８７ｃｍ〜５．５８８ｃｍ）、約１．０８０インチ〜約１．１２０インチ（２．７４３ｃｍ〜２．８４５ｃｍ）或いは約１．１００インチ（２．７９４ｃｍ）である。ボトルは、高さ４１１が約１．８１７インチ〜約７．２６８インチ（４．６１５ｃｍ〜１８．４６１ｃｍ）或いは約３．６３４インチ（９．２３０ｃｍ）である。ボトル幅４１３は、約０．７４０インチ〜約２．９６０インチ（１．８７９ｃｍ〜７．５１８ｃｍ）、或いは約１．４２０インチ〜約１．５４０インチ（３．６０６ｃｍ〜３．９１２ｃｍ）、或いは１．４８０インチ（３．７５９ｃｍ）である。
【００３０】
ボトルは、再び密閉できるキャップ、好ましくはチャイルドプルーフ（childproof）に嵌まり、この例を図２に示す。図２は、内側部分２１と外側部分２２とを備えた、本発明のボトル用キャップを示す。外部外側シェル２２は耐久材料で作られている。内部空間２１は、こぼれ或いは漏れを阻止するプッシャーライニング２１１を有する。内部２１は、開放出口１２と突出したニップル３１の結合高さよりも高く、キャップをボトルに付けるときニップル３１とキャップの内側の上部との間に空間を作る。寸法は、キャップが棚部までねじ込まれたときライニングがニップルの上面に当接し、オリフィスをシールするような寸法である。
【００３１】
一実施形態では、ＣＲキャップは以下の仕様を有する。
・種類：Ｆ−４２２トリシールライナー付きの２２／４１４−白色高濃度ポリエチレン  クリックロックIIIキャップ
・外側シェル樹脂：シェブロン高密度ＨｉＤ９０１８
・外側シェル染料：ＭＡハンナカラーＰＭＳ＃ＺＢ−０９１９００ＮＭＢＥ
・内側シェル樹脂：マーレックス（Marlex）ＨＬＮ−１２０−０１ポリエチレン
・接着剤：ホットメルトアドヘッシブファインドレイ（Adhesive-Findley）接着剤
・ライナー：トリシールＦ−４２２−三層共押出し材料
【００３２】
ライナーは、ニップルの上部を直接押して、気密シールを作る。
【００３３】
例示の実施形態では、図３に示すように、本発明は、壁３１１及びオリフィス３１２を有するニップル３１を備えた栓１３を含むのがよい。栓は、肩３２、シャフト３３及びチャンネル３４を有する。
【００３４】
図３に例示するように、栓１３は、高さが約０．７６２ｃｍ〜約１．５２４ｃｍ、直径が約０．９７８ｃｍ〜約３．８７１ｃｍ、または高さが約０．５５０インチ〜約０．６５０インチ（１．３９７ｃｍ〜１．６５１ｃｍ）、直径が約０．７５２インチ〜約０．７７２インチ（１．９１０ｃｍ〜１．９６１ｃｍ）或いは約０．７６２インチ（１．９３５ｃｍ）であるのがよい。ニップルは、高さが約０．１２７ｃｍ〜約０．５０８ｃｍ、幅が約０．４３３ｃｍ〜約１．７３２ｃｍであるのがよい。
【００３５】
ニップル３１は、壁３１１とオリフィス３１２とを有する。オリフィスは、直径が約０．１ｃｍ〜約１．０ｃｍ、直径が０．２ｃｍ〜０．５ｃｍ、または約０．１７３インチ〜約０．１８３インチ（０．４３９ｃｍ〜０．４６５ｃｍ）、或いは約０．１７８インチ（０．４５２ｃｍ）であるのがよい。壁３１１の幅は、約０．１０１ｃｍ〜０．４０４ｃｍ、約０．０７７５インチ〜約０．０８２５インチ（０．１９７ｃｍ〜０．２１０ｃｍ）或いは約０．０７９インチ（０．２０１ｃｍ）であるのがよい。ニップル３０１５の高さは、約０．１ｃｍ〜約１．０ｃｍ、約０．２ｃｍ〜約０．５ｃｍ、または約０．０９インチ〜０．１１インチ（０．２２８ｃｍ〜０．２７９ｃｍ）、或いは約０．１０インチ（０．２５４ｃｍ）であるのがよい。ニップルの幅全体は、約０．３４１インチ（０．８６６ｃｍ）であるのがよい。
【００３６】
チャンネル付きの栓１３は、開放出口１２の内部に取り付けられ、シャフトの上部３３１は開放出口１２上に位置するように、この開放出口よりも大きな直径を有し、シャフトの下部３３２は、開放出口よりも直径が小さく、摩擦締り嵌めをする。
【００３７】
図示した特定の実施形態では、チャンネル３４は、約０．２５インチ〜約１．０インチ（１．２３７ｃｍ〜１．３１３ｃｍ）の幅を有するのがよく、好ましくは、直径が０．４８７インチ〜０．５１７インチ（１．２３７ｃｍ〜１．３１３ｃｍ）であるのがよい。シャフト３３は、約０．２５インチ〜約１．０インチ（０．６３５ｃｍ〜２．５４ｃｍ）の高さを有するのがよく、０．５０インチ〜約０．５２０インチ（１．２７０ｃｍ〜１．３２１ｃｍ）が好ましく、上部幅または下部幅が、直径が約０．１ｃｍ〜約０．５ｃｍまたは約０．０８２５インチ〜約０．０８６５インチ（０．２０９ｃｍ〜０．２２０ｃｍ）であるのがよい。チャンネル３４は、幅が約０．０４インチ〜約０．１７３インチ（０．１ｃｍ〜０．４４ｃｍ）であり、好ましくは直径が約０．４８７インチ（１．２３７ｃｍ）〜０．５１７インチ（１．３１３ｃｍ）である。示した図３では、シャフトの下部からニップルの上部まで測定した栓高さ３０１１は、約０．６０８インチ〜約０．６２８インチ（１．５４４ｃｍ〜１．３３６ｃｍ）或いは約０．６１８インチ（１．５７０ｃｍ）である。ニップルの肩は、高さ３０１６が約０．６０インチ（１．５２４ｃｍ）であり、幅３０１２が約０．７５２インチ〜約０．７７２インチ（１．９１０ｃｍ〜１．９６０ｃｍ）或いは約０．７６２インチ（１．９３５ｃｍ）である。図示したように、シャフトの上部の高さ３０１７は約０．１８８インチ（０．４７８ｃｍ）であり、ニップル３０１３の幅は約０．３４１インチ（０．８６６ｃｍ）であり、オリフィス３０１４の幅は約０．１７３インチ〜約０．１８３インチ（０．４３９ｃｍ〜０．４６５ｃｍ）であり、チャンネルの幅３０１８は約０．４９７インチ（１．２６２ｃｍ）であり、シャフト３０１９の上部の幅は約０．６５２インチ〜約０．６６２インチ（１．６５６ｃｍ〜１．６８ｃｍ）である。
【００３８】
ニップル３１の高さは、ニップル３１がキャップの上面に接触しないようにキャップ２１の内部よりも短い。このことにより、ニップルの上部３１５に、閉鎖中くずや摩耗のない状態にする。ニップル高さは、典型的には、少なくとも普通のスプーンの厚さである。
【００３９】
オリフィスの直径は、正確な繰り返しの小出しを可能にするのには十分小さいが、栓を出口から外さないで手の圧力により小出しを容易にするには十分大きい。ニップルの壁は、強度を与え、かつオリフィスをスプーンの表面に近づけた状態にすることによって容易かつ正確な小出しを可能にするのに十分な厚さである。オリフィスのチャンネル及びニップルの上面の端部は、平滑で鋭利なほぼ直角をなし、クリーンで正確な小出しを可能にし、容器の手の圧力に応じて流れをカットする鋭利な縁部３１３を形成する。ニップルの外縁３１４を面取りして、ＣＲキャップ２２の取り付けを向上させ、生成物の繰り返されるキャップ付けによるニップルの腐食を回避させてもよい。ニップルの幅は、キャップが取り付けられるときに適切な強度をシール表面にもたらすのに十分である。さらに、ニップルは、特にスプーン／ボウル容器に位置するとき丈夫で剛性がある。
【００４０】
栓の肩は、中央部分３２１と環状部分３２２とを有する平らな表面３２３を形成し、この平らな表面３２３は、ボトルの開放出口上に位置し、適切な嵌合とシールを可能にする。肩は、小出し中安定と調整可能のためにスプーンに載せるように形成されている。肩がボトルの出口の上部から張り出さないことが有利である。
【００４１】
栓の外側部分では、内部肩３２１は、ノッチ３５０を構成する鋭角部でニップル３１の壁３１１と出合う。栓の内側部分では、内部肩３２１とニップル３１の壁３１１の内側は、角張った内縁３５１を形成する。
【００４２】
オリフィス３１２は、好ましくは、卵形形状がより高い圧力を要求するように丸まっており、平らにしなくてもよく、空気を容器に小出ししてもよい。
【００４３】
本明細書において図示し、かつ説明した実施形態は、本発明を製造して実施するために発明者にとって既知の最良の方法を当業者に教示するものにすぎない。本明細書のいかなるものも、本発明の範囲を限定するものとして考慮されるべきではない。本発明の上述した実施形態は、本発明から逸脱せずに、上記教示に照らして当業者によって明らかなように、修正したり変更したり、要素を追加したり削除したりしてもよい。したがって、本発明は、特許請求の範囲と均等の範囲内で、特定して述べた以外にも実施されてもよいことを理解すべきである。
【図面の簡単な説明】
【００４４】
【図１】キャップのされていない栓付きスクイーズボトルを示す。
【図２】本発明の交換可能なボトル用キャップを示す。
【図３】栓の構造の詳細を示す。
【図４】キャップのされていない栓なしスクイーズボトルを示す。
【国際公開パンフレット】
2005506931.tif 000003
2005506931.tif 000004
2005506931.tif 000005
2005506931.tif 000006
2005506931.tif 000007
2005506931.tif 000008
2005506931.tif 000009
2005506931.tif 000010
2005506931.tif 000011
2005506931.tif 000012
2005506931.tif 000013
2005506931.tif 000014
2005506931.tif 000015
2005506931.tif 000016
2005506931.tif 000017
2005506931.tif 000018
【国際公開パンフレット（コレクトバージョン）】
2005506931.tif 000019
2005506931.tif 000020
【国際調査報告】
2005506931.tif 000021